(57)【要約】      （修正有）【課題】発話を補助または代替するコミュニケーションツールとして、特に発話に障害のある使用者の使用に適した、音声コミュニケーション装置を提供っする。【解決手段】音声コミュニケーション装置１は、特に発話に障害のある使用者の使用に適しており、コミュニケーションボード１０とデジタル音声信号処理装置８を含む。前記コミュニケーションボード１０は複数の文字ブロックと複数の識別コードブロックを含み、前記文字ブロックは使用者がある文字、または組み合わせてある文字を構成する音を選択するために用いられ、前記各識別コードブロックは前記各文字ブロックにそれぞれ対応し、かつ前記デジタル音声信号処理装置８の識別に供するデータを含む。【選択図】図１
0003154828.tif 000002
【実用新案登録請求の範囲】
【請求項１】
音声コミュニケーション装置であって、デジタル音声信号処理装置と、前記デジタル音声信号処理装置に組み合わせて使用するミュニケーションボードを含み、
前記デジタル音声信号処理装置が、
データの読み取りに用いるコード読取モジュールと、
保存したソフトウェアプログラム及び音声データを含むメモリと、
前記コード読取モジュールが読み取ったデータをデコードするデコーディングモジュールと、
発音を出力する音声出力装置と、
前記コード読取モジュール、前記メモリ、前記デコーディングモジュール、前記音声出力装置と電気的に接続され、前記コード読取モジュール、前記メモリ、前記デコーディングモジュール、前記音声出力装置の制御に用いる処理ユニットを含み、
前記コミュニケーションボードが、プリント可能面を含む薄型シートと、前記プリント可能面上に付着された文字印刷層と、前記プリント可能面上に付着された識別コード印刷層を含み、
前記文字印刷層が複数の文字ブロックを含み、そのうち、前記複数の文字ブロックが、
使用者がある文字または組み合わせてある文字を成す音を選択するために用いる複数の文字記号ブロックと、
使用者が連続して２つ以上の文字の音を表現するために用いる文章ブロックを含む複数の機能ブロックを含み、使用者が前記デジタル音声信号処理装置で前記文章ブロックを選択したとき、使用者が前記文章ブロックを選択する前に、複数の前記文字記号ブロック中から選択した、または組み合わせて構成した各文字の音を前記音声出力装置が発し、
前記識別コード印刷層が複数の識別コードブロックを含み、そのうち、各前記複数の識別コードブロックが各前記複数の文字ブロックにそれぞれ対応し、かつ各前記複数の識別コードブロックが前記デジタル音声信号処理装置に識別させるデータを含むことを特徴とする、音声コミュニケーション装置。
【請求項２】
前記複数の機能ブロックがさらに、使用者がある文字の音を表現するために用いるコミュニケーションブロックを含み、使用者が前記デジタル音声信号処理装置で前記コミュニケーションブロックを選択すると、使用者が複数の文字記号ブロック中から選択した、または組み合わせて構成したある文字の音を前記音声出力装置が発することを特徴とする、請求項１に記載の音声コミュニケーション装置。
【請求項３】
前記複数の機能ブロックがさらに、標準音ブロックを含み、使用者が前記デジタル音声信号処理装置で前記標準音ブロックを選択すると、前記音声出力装置がまず選択された複数の各文字記号ブロックの音を発した後、複数の各文字記号ブロックを組み合わせて構成したある文字の音を発することを特徴とする、請求項２に記載の音声コミュニケーション装置。
【請求項４】
前記複数の機能ブロックがさらに記憶ブロックを含み、使用者が前記デジタル音声信号処理装置で前記記憶ブロックを選択すると、各使用者が選択した、または組み合わせて構成した文字の音を前記デジタル音声信号処理装置が保存し、
かつ前記複数の機能ブロックがさらに再生ブロックを含み、使用者が前記デジタル音声信号処理装置で前記再生ブロックを選択すると、前記デジタル音声信号処理装置が保存した各使用者が選択した、または組み合わせて構成した文字の音を発し、
前記文字記号ブロックがさらに、使用者が必要な少なくとも１つの数字を選択するために用いる複数の数字ブロックを含み、前記複数の数字ブロックが前記記憶ブロックを組み合わせて使用できることを特徴とする、請求項３に記載の音声コミュニケーション装置。
【請求項５】
デジタル音声信号処理装置に組み合わせて使用するために用いるコミュニケーションボードであって、そのうち前記デジタル音声信号処理装置が音声出力装置を含み、前記コミュニケーションボードが、プリント可能面を含む薄型シートと、前記プリント可能面上に付着された文字印刷層と、前記プリント可能面上に付着された識別コード印刷層を含み、
前記文字印刷層が複数の文字ブロックを含み、そのうち、前記複数の文字ブロックが、
使用者がある文字または組み合わせてある文字を成す音を選択するために用いる複数の文字記号ブロックと、
使用者が連続して２つ以上の文字の音を表現するために用いる文章ブロックを含む複数の機能ブロックを含み、使用者が前記デジタル音声信号処理装置で前記文章ブロックを選択したとき、使用者が前記文章ブロックを選択する前に、複数の前記文字記号ブロック中から選択した、または組み合わせて構成した各文字の音を前記音声出力装置が発し、
前記識別コード印刷層が複数の識別コードブロックを含み、そのうち、各前記複数の識別コードブロックが各前記複数の文字ブロックにそれぞれ対応し、かつ各前記複数の識別コードブロックが前記デジタル音声信号処理装置に識別させるデータを含むことを特徴とする、コミュニケーションボード。
【請求項６】
前記複数の機能ブロックがさらに、使用者がある文字の音を表現するために用いるコミュニケーションブロックを含み、使用者が前記デジタル音声信号処理装置で前記コミュニケーションブロックを選択すると、使用者が複数の文字記号ブロック中から選択した、または組み合わせて構成したある文字の音を前記音声出力装置が発することを特徴とする、請求項５に記載のコミュニケーションボード。
【請求項７】
前記複数の機能ブロックがさらに、標準音ブロックを含み、使用者が前記デジタル音声信号処理装置で前記標準音ブロックを選択すると、前記音声出力装置がまず選択された複数の各文字記号ブロックの音を発した後、複数の各文字記号ブロックを組み合わせて構成したある文字の音を発することを特徴とする、請求項６に記載のコミュニケーションボード。
【請求項８】
前記複数の機能ブロックがさらに記憶ブロックを含み、使用者が前記デジタル音声信号処理装置で前記記憶ブロックを選択すると、各使用者が選択した、または組み合わせて構成した文字の音を前記デジタル音声信号処理装置が保存し、
かつ前記複数の機能ブロックがさらに再生ブロックを含み、使用者が前記デジタル音声信号処理装置で前記再生ブロックを選択すると、前記デジタル音声信号処理装置が保存した各使用者が選択した、または組み合わせて構成した文字の音を発し、
前記文字記号ブロックがさらに、使用者が必要な少なくとも１つの数字を選択するために用いる複数の数字ブロックを含み、前記複数の数字ブロックが前記記憶ブロックを組み合わせて使用できることを特徴とする、請求項７に記載のコミュニケーションボード。
【考案の詳細な説明】
【技術分野】
【０００１】
本考案は音声コミュニケーション装置及びコミュニケーションボードに関し、特に、発話に障害のある使用者の使用に供する、音声コミュニケーション装置及びコミュニケーションボードに関する。
【背景技術】
【０００２】
音声コミュニケーション装置は発話に障害のある人に補助を提供あるいは発話を代替するコミュニケーションツールである。現在市場において最もよく見受けられる音声コミュニケーション装置は、タッチ制御式の音声コミュニケーションボードである。例えば出願人が米国で取得した特許第６３６９７２１号は、コミュニケーションカードとデータ処理装置を含む。このコミュニケーションカードはデータ処理装置上に設置して使用されるため、使用者は使用時にコミュニケーションカードだけでなく、装置全体を携帯する必要があった。一方でコミュニケーションカード上で使用者に十分な単語や意味を提供できるようにするには、タッチ制御式であるため、コミュニケーションカードの面積が小さすぎてはならず、コミュニケーションカードを設置するための装置の面積もコミュニケーションカードに合わせる必要があった。そのため、これら相互に制限され、全体の体積と重量が大きすぎてしまい、携帯に不便である。また、ページめくりまたはページ換えができるコミュニケーションカードもあり、それによりコミュニケーションカードを設置する装置の体積を縮小しているが、ページめくりまたはページ換えは即時のコミュニケーションにおいて不便である。このほか、このような音声コミュニケーションボードは使用者に即時に音声コミュニケーションボードで完全な文を表現する機能はなく、毎回使用者が１つの単語を選択すると、その単語を再生するだけで、使用者に先に完全な文（複数の単語）を入力させて、その文を再生することはできず、使用上不便である。
【０００３】
また、光学式ペン（ＯＩＤ  Ｐｅｎ、光学式インデックスペン、ＯＩＤ／Ｏｐｔｉｃａｌ  Ｉｎｄｅｘ／Ｏｐｔｉｃａｌ  Ｉｄｅｎｔｉｆｉｃａｔｉｏｎとも呼ばれ、本考案の内容においては音声信号処理装置と呼ぶ）はすでに少なくとも７〜８年の発展を遂げているが、外国語学習やストーリーブック等の言語学習において使用されるのみであり、心身障害者の言語コミュニケーション補助には使用されたことがない。
【０００４】
このため、発話に障害のある人が携帯して使用でき、音声を発して正確に自己を表現することができる音声コミュニケーション装置を提供し、発話に障害のある人の生活を改善する必要がある。
【先行技術文献】
【特許文献】
【０００５】
【特許文献１】米国特許第６３６９７２１号
【考案の概要】
【考案が解決しようとする課題】
【０００６】
本考案の主な目的は、発話を補助または代替するコミュニケーションツールとして、特に発話に障害のある使用者の使用に適した、音声コミュニケーション装置を提供することにある。
【０００７】
本考案の別の目的は、特に発話に障害のある使用者が、自分の表現したい意味を選択することができる、コミュニケーションボードを提供することにある。
【課題を解決するための手段】
【０００８】
上述の目的を達するため、本考案の音声コミュニケーション装置は、デジタル音声信号処理装置とコミュニケーションボードを含む。前記デジタル音声信号処理装置は、データの読取に用いるコード読取モジュールと、保存したソフトウェアプログラム及び音声データを含むメモリと、前記コード読取モジュールが読み取ったデータをデコードするデコーディングモジュールと、音声を発するために用いる音声出力装置と、前記コード読取モジュール、メモリ、デコーディングモジュール、音声出力装置と電気的に接続され、前記コード読取モジュール、メモリ、デコーディングモジュール、音声出力装置を制御する処理ユニットを含む。前記コミュニケーションボードは、前記デジタル音声信号処理装置に組み合わせて使用するために用いられる。前記コミュニケーションボードは、薄型シート、文字印刷層、識別コード印刷層を含む。そのうち、前記薄型シートはプリント可能面を含み、前記文字印刷層と前記識別コード印刷層が前記プリント可能面上に付着される。前記文字印刷層は複数の文字ブロックを含み、そのうち、前記複数の文字ブロックは、使用者がある文字、または組み合わせてある文字を成す音を選択するために用いられる複数の文字記号ブロックと、文章ブロックを含む複数の機能ブロックを含み、使用者が前記デジタル音声信号処理装置で前記文章ブロックを選択すると、使用者が文章ブロックを選択する前に複数の文字記号ブロックの中から選択した、または組み合わせて成る各文字の発音を前記音声出力装置が発する。前記識別コード印刷層は複数の識別コードブロックを含み、そのうち、各識別コードブロックはそれぞれ各文字ブロックに対応し、かつ各識別コードブロックは前記デジタル音声信号処理装置の識別に供するデータを含む。
【０００９】
本考案の構造は新規性があり、産業上の利用に提供することができると共に、確実に増進効果があるため、法に基づき実用新案登録を出願するものである。
【考案の効果】
【００１０】
本考案の音声コミュニケーション装置及びコミュニケーションボードは、発話に障害のある人が携帯して使用でき、音声を発して正確に自己を表現することができる。
【図面の簡単な説明】
【００１１】
【図１】本考案の音声コミュニケーション装置の概略図である。
【図２】本考案のデジタル音声信号処理装置の概略図である。
【図３】本考案のコミュニケーションボードの断面図である。
【図４】本考案の中国語注音符号のコミュニケーションボードの概略図である。
【図４Ａ】本考案に基づいた実施例の文字ブロックとその対応する識別コードブロックの概略図である。
【図５】本考案の英文アルファベット文字のコミュニケーションボードの概略図である。
【図６】本考案の中国語ピンインのコミュニケーションボードの概略図である。
【図７】本考案の日本語のコミュニケーションボードの概略図である。
【考案を実施するための形態】
【００１２】
本考案の上述及びその他の目的、特徴、利点をよりはっきりとわかりやすく示すため、以下、本考案の具体的な実施例を挙げ、図面を組み合わせて詳細に説明する。
【００１３】
図１に本考案の音声コミュニケーション装置の概略図を示す。本考案の音声コミュニケーション装置１は、デジタル音声信号処理装置８とコミュニケーションボード１０を含む。コミュニケーションボード１０はデジタル音声信号処理装置８に組み合わせて使用し、発話を補助または代替するコミュニケーションツールとしての目的を達する。本考案は特に、身心障害者、脳梗塞患者、老人、運動神経障害者等、発話に障害がある、流暢に話ができない、または正確に発音ができない使用者に特に適している。
【００１４】
図２に本考案のデジタル音声信号処理装置８の概略図を示す。本考案のデジタル音声信号処理装置８は、データの読み取りに用いるコード読取モジュール８１と、保存したソフトウェアプログラム及び音声データを含むメモリ８２と、当該コード読取モジュール８１が読み取ったデータをデコードするデコーディングモジュール８３と、音声を発するために用いる音声出力装置８４と、処理ユニット８５を含む。処理ユニット８５はコード読取モジュール８１（基本的にレンズ及びＣＣＤまたはＣＭＯＳの組み合わせで成る）、メモリ８２、デコーディングモジュール８３、音声出力装置８４と電気的に接続され、コード読取モジュール８１、メモリ８２、デコーディングモジュール８３、音声出力装置８４（スピーカーなど）の制御に用いられる。デジタル音声信号処理装置８（またはＯＩＤ  Ｐｅｎ、光学式インデックスペン、ＯＩＤ／Ｏｐｔｉｃａｌ  Ｉｎｄｅｘ／Ｏｐｔｉｃａｌ  Ｉｄｅｎｔｉｆｉｃａｔｉｏｎとも呼ばれる）のハードウェアは既知の装置であるため、ここでは説明を省略する。
【００１５】
図３に本考案のコミュニケーションボード１０の断面図を示す。本考案のコミュニケーションボード１０は、薄型シート２０、文字印刷層３１、識別コード印刷層３２を含む。薄型シート２０はプリント可能面２１を含む。文字印刷層３１と識別コード印刷層３２は当該プリント可能面２１上に付着される。薄型シート２０は、例えば紙とすることができ、文字印刷層３１と識別コード印刷層３２は、例えばトナー、印刷インク、インク等とすることができる。最良の実施例は、印刷機、プリンタ（ｐｒｉｎｔｅｒ、レーザープリンタやインクジェット式プリンタ）でトナー、印刷インクまたはインクを薄型シート２０上にプリントする。このため、コミュニケーションボード１０は、紙、紙状物、薄板、任意の物品上に貼付された紙及び該物品、或いはプリント可能な薄型シート２０を含む任意の物品とすることができる。
【００１６】
図４をあわせて参照する。文字印刷層３１は、例えば
0003154828.tif 000003
等の複数の文字ブロック４１を含む。識別コード印刷層３２は複数の識別コードブロック４２を含み、そのうち各識別コードブロック４２は各文字ブロック４１にそれぞれ対応する。各複数の識別コードブロック４２は、デジタル音声信号処理装置８の識別に供するデータを含む。実施例に基づいて説明すると、これらデータは非常に小さな点状コード（二次元コードなど）であり、基本的には虫眼鏡で拡大して肉眼でやっとはっきりと見えるものである。図４Ａに示すように、
0003154828.tif 000004
という文字ブロック４１に
0003154828.tif 000005
をプリントし（
0003154828.tif 000006
は文字印刷層３１のある一部分である）、
0003154828.tif 000007
のこの文字ブロック４１が１つの識別コードブロック４２に対応し、この識別コードブロック４２に二次元コード（例えば『０００５３』を表す二次元コード）がプリントされる。各識別コードブロック４２にプリントされる二次元コードが表す識別コードは、異なることに注意が必要である。
【００１７】
続いて、本考案の音声コミュニケーション装置１の使用方法を説明する。図１〜４Ａをあわせて参照する。使用者がデジタル音声信号処理装置８を使用し、ある文字ブロック４１（例えば
0003154828.tif 000008
）に対応する識別コードブロック４２を選択すると、コード読取モジュール８１が識別コードブロック４２の画像を取得し、続いてデコーディングモジュール８３がこの識別コードブロック４２（例えば『０００５３』）をデコードした後、処理ユニット８５が識別コードブロック４２のデータ（例えば『０００５３』）に基づいて、『０００５３』に対応する音声データ（例えばメモリ８２中に保存された
0003154828.tif 000009
を発する音声データ）を取得し、音声出力装置８４で
0003154828.tif 000010
の音を発する。
【００１８】
図４に本考案の中国語注音符号のコミュニケーションボード１０の概略図を示す。上述の複数の文字ブロック４１は複数の文字記号ブロック５０と複数の機能ブロック６０を含む。詳しく説明すると、各文字ブロック４１は文字記号ブロック５０または機能ブロック６０とすることができ、即ち、各文字記号ブロック５０はすべて１つの文字ブロック４１であり、各機能ブロック６０もまたすべて１つの文字ブロック４１である。文字記号ブロック５０は使用者がある文字または組み合わせてある文字を成す音を選択するために用いられる。次の実施例は中国語注音符号を例として説明するが、複数の文字記号ブロック５０はそれぞれ図５から図７に示すように英文アルファベット文字やピンイン、日本語とすることもでき、これについては後で詳細に説明する。複数の文字記号ブロック５０は複数の数字ブロック５２を含み、使用者が必要な少なくとも１つの数字の選択に用いられる。本実施例において、複数の文字記号ブロック５０はさらに３７個の中国語注音符号と声調記号
0003154828.tif 000011
を含む。複数の機能ブロック６０は使用者が異なる機能を選択するために用いることができ、文字記号ブロック５０に組み合わせて使用される。以下の説明において、使用者はデジタル音声信号処理装置８を利用して各文字ブロック４１（文字記号ブロック５０または機能ブロック６０を問わない）を選択する。
【００１９】
本考案の音声コミュニケーション装置１はコミュニケーションモードと標準音モードを含む。使用者はこの２つのモードを切り替えて使用することができる。複数の機能ブロック６０はコミュニケーションブロック６５と標準音ブロック６４を含む。コミュニケーションブロック６５は使用者がある文字の音を表すために用いることができ、使用者がデジタル音声信号処理装置８でコミュニケーションブロック６５を選択すると、使用者が複数の文字記号ブロック５０中から選択した、または組み合わせて構成したある文字の音を音声出力装置８４が発する。使用者がデジタル音声信号処理装置８で標準音ブロック６４を選択すると、音声出力装置８４がまず選択された複数の文字記号ブロック５０の音をそれぞれ発し、さらに各複数の文字記号ブロック５０を組み合わせて成るある文字の音を発する。本実施例においては、あらかじめコミュニケーションモードに設定してあり、即ち、使用者がデジタル音声信号処理装置８で『１』の文字記号ブロック５０を選択すると、音声出力装置８４が『１』の音を発する。また、例えば使用者が『我』の字を表したいとき、複数の文字記号ブロック５０中の
0003154828.tif 000012
を順に選択すると、音声出力装置８４が『我』の音を発する。使用者が標準音ブロック６４を選択すると、標準音モードに切り替わり、このモード下で使用者が例えば
0003154828.tif 000013
を順に選択したとき、音声出力装置８４は
0003154828.tif 000014
の音を順に発する。この機能は学習や発音矯正を助けたり、児童の標準音の学習に応用したりすることができる。使用者がコミュニケーションモードに再度切り替えたいときは、コミュニケーションブロック６５を選択すると、音声コミュニケーション装置１がコミュニケーションモードに戻る。
【００２０】
複数の機能ブロック６０はさらに文章ブロック６１を含み、使用者が２つ以上の文字の音を連続して表すことができる。使用者がデジタル音声信号処理装置８で文章ブロック６１を選択すると、使用者が文章ブロック６１を選択する前に、複数の文字記号ブロック５０中から選択した、または組み合わせた各文字の音を音声出力装置８４が発する。例えば、使用者が
0003154828.tif 000015
を順に選択した後に、文章ブロック６１を選択すると、音声出力装置８４が『我４點下課』（「私は４時に授業が終わります」の意味）の音を発する。
【００２１】
複数の機能ブロック６０はさらに記憶ブロック６７、再生ブロック６６、確認ブロック６８を含む。記憶ブロック６７と再生ブロック６６は複数の数字ブロック５２を組み合わせて使用することができる。記憶ブロック６７は使用者が選択した、または組み合わせて構成した各文字の音をデジタル音声信号処理装置８中に記憶することができる。再生ブロック６６は使用者がデジタル音声信号処理装置８の音声出力装置８４を利用し、使用者が記憶ブロック６７を使用して、デジタル音声信号処理装置８に保存した、使用者が選択した、または組み合わせて構成した各文字の音を再生する。確認ブロック６８は使用者が記憶ブロック６７または再生ブロック６６を利用して完成した動作の確認に用いる。例えば、使用者がまず
0003154828.tif 000016
を順に選択し、そして記憶ブロック６７を選択した後、数字ブロック５２を選択し（例えば『２』『３』を選択）、さらに確認ブロック６８を選択すると、『我４點下課』の音をデジタル音声信号処理装置８中の第２３メモリ領域に保存することができる。本考案が提供する第１〜第９９のメモリ領域は、使用者による記憶ブロック６７での保存に供することができる。使用者が再度『我４點下課』の語句を表現したいときは、再生ブロック６６を選択し、『２』『３』を選択した後、確認ブロック６８を選択すると、デジタル音声信号処理装置８の音声出力装置８４が『我４點下課』の音を発する。これにより、常用語句を保存して必要時に再生でき、時間を節約することができる。また、複数の機能ブロック６０はさらに語句を分けるために用いる読点ブロック６９を含み、使用者は自分の表現したい意味をより正確に表すことができる。
【００２２】
図５から図７に本考案の英文アルファベット文字、ピンイン、日本語のコミュニケーションボード１０の概略図をそれぞれ示す。数字ブロック５２（文字記号ブロック５０に属する）と機能ブロック６０の作用は前述の中国語注音符号のコミュニケーションボード１０と同じであり、説明を省略する。その他文字記号ブロック５０の使用方式について、以下で例を挙げて説明する。
【００２３】
図５を参照する。文字記号ブロック５０はＡからＺの英文アルファベット文字と数字ブロック５２を含む。コミュニケーションモード下で、使用者が『ｃａｔ』という語を表現したいときは、複数の文字記号ブロック５０中の『ｃ』『ａ』『ｔ』を順に選択すると、音声出力装置８４が『ｃａｔ』の音を発する。
【００２４】
続いて図６の中国語ピンインのコミュニケーションボード１０の概略図を参照する。コミュニケーションモード下で、使用者が『魚』という語を表現したいときは、複数の文字記号ブロック５０中の
0003154828.tif 000017
を選択すると、音声出力装置８４が『魚』の音を発する。
【００２５】
最後に図７の日本語のコミュニケーションボード１０の概略図を参照する。コミュニケーションモード下で、使用者が『いな』という語を表現したいときは、複数の文字記号ブロック５０中の『い』『な』を選択すると、音声出力装置８４が『いな』の音を発する。
【００２６】
上述のように、図５から図７のその他機能ブロック６０の作用は前述の中国語注音符号のコミュニケーションボード１０の機能ブロック６０と同じであるため、説明を省略する。
【符号の説明】
【００２７】
１  音声コミュニケーション装置
８  デジタル音声信号処理装置
１０  コミュニケーションボード
２０  薄型シート
２１  プリント可能面
３１  文字印刷層
３２  識別コード印刷層
４１  文字ブロック
４２  識別コードブロック
５０  文字記号ブロック
５２  数字ブロック
６０  機能ブロック
６１  文章ブロック
６４  標準音ブロック
６５  コミュニケーションブロック
６６  再生ブロック
６７  記憶ブロック
６８  確認ブロック
６９  読点ブロック
８１  コード読取モジュール
８２  メモリ
８３  デコーディングモジュール
８４  音声出力装置
８５  処理ユニット
【図１】
0003154828.tif 000018
【図２】
0003154828.tif 000019
【図３】
0003154828.tif 000020
【図４】
0003154828.tif 000021
【図４Ａ】
0003154828.tif 000022
【図５】
0003154828.tif 000023
【図６】
0003154828.tif 000024
【図７】
0003154828.tif 000025
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
音声コミュニケーション装置であって、デジタル音声信号処理装置と、前記デジタル音声信号処理装置に組み合わせて使用するコミュニケーションボードを含み、
前記デジタル音声信号処理装置が、
データの読み取りに用いるコード読取モジュールと、
保存したソフトウェアプログラム及び音声データを含むメモリと、
前記コード読取モジュールが読み取ったデータをデコードするデコーディングモジュールと、
発音を出力する音声出力装置と、
前記コード読取モジュール、前記メモリ、前記デコーディングモジュール、前記音声出力装置と電気的に接続され、前記コード読取モジュール、前記メモリ、前記デコーディングモジュール、前記音声出力装置の制御に用いる処理ユニットを含み、
前記コミュニケーションボードが、プリント可能面を含む薄型シートと、前記プリント可能面上に付着された文字印刷層と、前記プリント可能面上に付着された識別コード印刷層を含み、
前記文字印刷層が複数の文字ブロックを含み、そのうち、前記複数の文字ブロックが、
使用者がある文字または組み合わせてある文字を成す音を選択するために用いる複数の文字記号ブロックと、
使用者が連続して２つ以上の文字の音を表現するために用いる文章ブロックを含む複数の機能ブロックを含み、使用者が前記デジタル音声信号処理装置で前記文章ブロックを選択したとき、使用者が前記文章ブロックを選択する前に、複数の前記文字記号ブロック中から選択した、または組み合わせて構成した各文字の音を前記音声出力装置が発し、
前記識別コード印刷層が複数の識別コードブロックを含み、そのうち、各前記複数の識別コードブロックが各前記複数の文字ブロックにそれぞれ対応し、かつ各前記複数の識別コードブロックが前記デジタル音声信号処理装置に識別させるデータを含むことを特徴とする、音声コミュニケーション装置。
【請求項２】
前記複数の機能ブロックがさらに、使用者がある文字の音を表現するために用いるコミュニケーションブロックを含み、使用者が前記デジタル音声信号処理装置で前記コミュニケーションブロックを選択すると、使用者が複数の文字記号ブロック中から選択した、または組み合わせて構成したある文字の音を前記音声出力装置が発することを特徴とする、請求項１に記載の音声コミュニケーション装置。
【請求項３】
前記複数の機能ブロックがさらに、標準音ブロックを含み、使用者が前記デジタル音声信号処理装置で前記標準音ブロックを選択すると、前記音声出力装置がまず選択された複数の各文字記号ブロックの音を発した後、複数の各文字記号ブロックを組み合わせて構成したある文字の音を発することを特徴とする、請求項２に記載の音声コミュニケーション装置。
【請求項４】
前記複数の機能ブロックがさらに記憶ブロックを含み、使用者が前記デジタル音声信号処理装置で前記記憶ブロックを選択すると、各使用者が選択した、または組み合わせて構成した文字の音を前記デジタル音声信号処理装置が保存し、
かつ前記複数の機能ブロックがさらに再生ブロックを含み、使用者が前記デジタル音声信号処理装置で前記再生ブロックを選択すると、前記デジタル音声信号処理装置が保存した各使用者が選択した、または組み合わせて構成した文字の音を発し、
前記文字記号ブロックがさらに、使用者が必要な少なくとも１つの数字を選択するために用いる複数の数字ブロックを含み、前記複数の数字ブロックが前記記憶ブロックを組み合わせて使用できることを特徴とする、請求項３に記載の音声コミュニケーション装置。
【請求項５】
デジタル音声信号処理装置に組み合わせて使用するために用いるコミュニケーションボードであって、そのうち前記デジタル音声信号処理装置が音声出力装置を含み、前記コミュニケーションボードが、プリント可能面を含む薄型シートと、前記プリント可能面上に付着された文字印刷層と、前記プリント可能面上に付着された識別コード印刷層を含み、
前記文字印刷層が複数の文字ブロックを含み、そのうち、前記複数の文字ブロックが、
使用者がある文字または組み合わせてある文字を成す音を選択するために用いる複数の文字記号ブロックと、
使用者が連続して２つ以上の文字の音を表現するために用いる文章ブロックを含む複数の機能ブロックを含み、使用者が前記デジタル音声信号処理装置で前記文章ブロックを選択したとき、使用者が前記文章ブロックを選択する前に、複数の前記文字記号ブロック中から選択した、または組み合わせて構成した各文字の音を前記音声出力装置が発し、
前記識別コード印刷層が複数の識別コードブロックを含み、そのうち、各前記複数の識別コードブロックが各前記複数の文字ブロックにそれぞれ対応し、かつ各前記複数の識別コードブロックが前記デジタル音声信号処理装置に識別させるデータを含むことを特徴とする、コミュニケーションボード。
【請求項６】
前記複数の機能ブロックがさらに、使用者がある文字の音を表現するために用いるコミュニケーションブロックを含み、使用者が前記デジタル音声信号処理装置で前記コミュニケーションブロックを選択すると、使用者が複数の文字記号ブロック中から選択した、または組み合わせて構成したある文字の音を前記音声出力装置が発することを特徴とする、請求項５に記載のコミュニケーションボード。
【請求項７】
前記複数の機能ブロックがさらに、標準音ブロックを含み、使用者が前記デジタル音声信号処理装置で前記標準音ブロックを選択すると、前記音声出力装置がまず選択された複数の各文字記号ブロックの音を発した後、複数の各文字記号ブロックを組み合わせて構成したある文字の音を発することを特徴とする、請求項６に記載のコミュニケーションボード。
【請求項８】
前記複数の機能ブロックがさらに記憶ブロックを含み、使用者が前記デジタル音声信号処理装置で前記記憶ブロックを選択すると、各使用者が選択した、または組み合わせて構成した文字の音を前記デジタル音声信号処理装置が保存し、
かつ前記複数の機能ブロックがさらに再生ブロックを含み、使用者が前記デジタル音声信号処理装置で前記再生ブロックを選択すると、前記デジタル音声信号処理装置が保存した各使用者が選択した、または組み合わせて構成した文字の音を発し、
前記文字記号ブロックがさらに、使用者が必要な少なくとも１つの数字を選択するために用いる複数の数字ブロックを含み、前記複数の数字ブロックが前記記憶ブロックを組み合わせて使用できることを特徴とする、請求項７に記載のコミュニケーションボード。